(57)【特許請求の範囲】
【請求項１】
光トラフィックの通信方法であって、
複数のノードを有する光リングに光トラフィックをアッドする段階と、
前記光リング上で前記光トラフィックを伝送する段階であって、前記光トラフィックは第１の数の波長を含むトラフィックの第１の仮想的波長帯と、前記第１の数とは異なる第２の数の波長を含むトラフィックの第２の仮想的波長帯とを含む複数の仮想的波長帯を含む段階と、
前記複数のノードの第１のノードにおいて、前記第１のノードに固有に割り当てられている前記トラフィックの第１の仮想的波長帯をドロップする段階と、
前記複数のノードの第２のノードにおいて、前記第２のノードに固有に割り当てられている前記トラフィックの第２の仮想的波長帯をドロップする段階と、を含み、
前記第１の数と前記第２の数との合計は、前記光リングで利用可能な波長の総数よりも少ない、
方法。
【請求項２】
光トラフィックの通信システムであって、
複数のノードを有する光リングに光トラフィックをアッドする、光リングに結合したアッドコンポーネントと、
前記光リング上で前記光トラフィックを伝送する前記複数のノードであって、前記光トラフィックは第１の数の波長を含むトラフィックの第１の仮想的波長帯と、前記第１の数とは異なる第２の数の波長を含むトラフィックの第２の仮想的波長帯とを含む複数の仮想的波長帯を含む前記複数のノードと、
前記複数のノードの第１のノードにおいて、前記第１のノードに固有に割り当てられている前記トラフィックの第１の仮想的波長帯をドロップする第１のドロップコンポーネントと、
前記複数のノードの第２のノードにおいて、前記第２のノードに固有に割り当てられている前記トラフィックの第２の仮想的波長帯をドロップする第２のドロップコンポーネントと、を有し、
前記第１の数と前記第２の数との合計は、前記光リングで利用可能な波長の総数よりも少ない、システム。
【請求項３】
光トラフィックの通信システムであって、
複数のノードを有する光リングに光トラフィックをアッドする手段と、
前記光リング上で前記光トラフィックを伝送する手段であって、前記光トラフィックは第１の数の波長を含むトラフィックの第１の仮想的波長帯と、前記第１の数とは異なる第２の数の波長を含むトラフィックの第２の仮想的波長帯とを含む複数の仮想的波長帯を含む手段と、
前記複数のノードの第１のノードにおいて、前記第１のノードに固有に割り当てられている前記トラフィックの第１の仮想的波長帯をドロップする手段と、
前記複数のノードの第２のノードにおいて、前記第２のノードに固有に割り当てられている前記トラフィックの第２の仮想的波長帯をドロップする手段と、を有し、
前記第１の数と前記第２の数との合計は、前記光リングで利用可能な波長の総数よりも少ない、
システム。
【請求項４】
光トラフィックの通信方法であって、
結合された複数の光リング上で光トラフィックを通信する段階であって、前記複数の光リングはコアリングと、第１の配信リングと、第２の配信リングとを有し、各光リングは複数の光ノードを有する段階と、
前記複数の光ノードのうちの第１のノードに固有に割り当てられている、前記コアリング上で通信されるトラフィックの第１の仮想的波長帯を、前記コアリングの第１の光ノードにおいて前記第１の配信リングに配信する段階であって、前記トラフィックの第１の仮想的波長帯は第１の数の波長を含む段階と、
前記複数の光ノードのうちの第２のノードに固有に割り当てられている、前記コアリング上で通信されるトラフィックの第２の仮想的波長帯を、前記コアリングの前記第２の光ノードにおいて前記第２の配信リングに配信する段階であって、前記トラフィックの第２の仮想的波長帯は第２の数の波長を含む段階と、を含み、
前記第１の数と前記第２の数との合計は、前記光リングで利用可能な波長の総数よりも少ない、
方法。
【請求項５】
光トラフィックの通信システムであって、
光トラフィックを通信する結合された複数の光リングであって、コアリングと、第１の配信リングと、第２の配信リングとを有し、各光リングは複数の光ノードを有する複数の光リングと、
前記複数の光ノードのうちの第１のノードに固有に割り当てられている、前記コアリング上で通信されるトラフィックの第１の仮想的波長帯を、前記第１の配信リングに配信する前記コアリングの第１の光ノードであって、前記トラフィックの第１の仮想的波長帯は第１の数の波長を含む前記第１の光ノードと、
前記複数の光ノードのうちの第２のノードに固有に割り当てられている、前記コアリング上で通信されるトラフィックの第２の仮想的波長帯を、前記第２の配信リングに配信する前記コアリングの第２の光ノードであって、前記トラフィックの第２の仮想的波長帯は第２の数の波長を含む前記第２の光ノードと、を有し、
前記第１の数と前記第２の数との合計は、前記光リングで利用可能な波長の総数よりも少ない、
システム。
【発明の詳細な説明】
【技術分野】
【０００１】
本発明は光ネットワークに関し、特に光トラフィックの通信方法及びシステムに関する。
【背景技術】
【０００２】
通信システム、ケーブルテレビジョンシステム、及びデータ通信ネットワークは、光ネットワークを用いて離れた地点間で大量の情報をすばやく伝達する。光ネットワークでは、情報は光信号として光ファイバを通して伝達される。光ファイバはガラスの細い糸（strands）であり、信号を長距離伝送しても損失は非常に小さい。
【０００３】
光ネットワークでは送信キャパシティを大きくするため、ＷＤＭ（wavelength  division  multiplexing）やＤＷＤＭ（dense  wavelength  division  multiplexing）を利用することが多い。ＷＤＭやＤＷＤＭネットワークでは、各ファイバで多数の光チャネルが本質的に異なる波長で搬送される。ネットワークのキャパシティは、各ファイバの波長またはチャネルの数と、チャネルの帯域幅またはサイズと、そのネットワークで利用されるノードのタイプとにより決まる。
【０００４】
連続する波長は一般的に帯域にグループ分けして、ノードのアーキテクチャを単純化する。これらのグループを波長帯（wavebands）と呼ぶ。波長帯によりノードは２レベルの多重化／逆多重化構造を有する。第１のレベルでは複数の波長帯に分離している。第２のレベルでは１つの波長帯が複数の波長に分離している。ほとんどの波長帯は一定の波長を含み、同じサイズである。
【発明の開示】
【発明が解決しようとする課題】
【０００５】
本発明は、従来の方法とシステムに付随する不利益や問題の少なくとも一部を実質的に除去または低減する、光トラフィックの通信方法及びシステムを提供するものである。
【課題を解決するための手段】
【０００６】
一実施形態では、光トラフィックを通信する方法は、複数のノードを有する光リングに光トラフィックをアッドする段階と、光リング上で光トラフィックを通信する段階とを含む。光トラフィックは複数の仮想的波長帯を含み、その仮想的波長帯は第１の数の波長を含むトラフィックの第１の仮想的波長帯と、第２の数の波長を含む第２の仮想的波長帯とを含む。第２の数は第１の数とは異なる。この方法は、さらに複数のノードの第１のノードにおいてトラフィックの第１の仮想的波長帯をドロップする段階と、複数のノードの第２のノードにおいてトラフィックの第２の仮想的波長帯をドロップする段階とを含む。
【０００７】
トラフィックの第１の仮想的波長帯の第１の数の波長は複数の不連続な波長を含んでいてもよく、トラフィックの第２の仮想的波長帯の第２の数の波長は複数の不連続は波長を含んでいてもよい。本方法は、調節可能帯域フィルタとサイクリックアレイ導波路回折格子により、または波長ブロッカーとサイクリックアレイ導波路回折格子により、または波長選択スイッチにより光トラフィックを通信することにより、複数の仮想的波長帯を形成する段階をさらに含み得る。
【０００８】
光トラフィックの通信システムは、複数のノードを有する光リングに光トラフィックをアッドする、光リングに結合したアッドコンポーネントを含む。複数のノードは光リング上で光トラフィックを通信する。光トラフィックは複数の仮想的波長帯を含み、その仮想的波長帯は第１の数の波長を含むトラフィックの第１の仮想的波長帯と、第２の数の波長を含む第２の仮想的波長帯とを含む。第２の数は第１の数とは異なる。このシステムは、さらに複数のノードの第１のノードにおいてトラフィックの第１の仮想的波長帯をドロップする第１のドロップコンポーネントと、複数のノードの第２のノードにおいてトラフィックの第２の仮想的波長帯をドロップする第２のドロップコンポーネントとを含む。
【発明の効果】
【０００９】
実施形態の技術的な有利性として、（固定波長帯とは対照的に）仮想的波長帯を使うことにより波長を効率的に利用できる。仮想的波長帯（ＶＷＢ、virtual  wavebands）は、任意数の波長を各波長帯に含み、それに加えて不連続の波長を含むこともできる。かかる仮想波長帯により波長の割り当てが柔軟になり、ブロードキャストトラフィックのドロップ＆コンティニューをサポートすることができる。各仮想的波長帯が含む波長の数は違っていてもよいので、その時点でのトラフィック需要に基づき波長をノードに割り当てることができる。こうすることにより、ブロッキングと波長が利用されない可能性とを低減することができる。
【００１０】
他の技術的な有利性は、以下の図面、詳細な説明、及び特許請求の範囲に基づき、当業者には容易に明らかとなるであろう。さらに、具体的な有利性を上記したが、様々な実施形態は上記の有利性のすべてまたは一部を含んでもよいし、全く含まなくてもよい。
【００１１】
本発明の具体的な実施形態とそれらの優位性をよりよく理解するために、添付した図面を参照しつつ以下に説明する。
【発明を実施するための最良の形態】
【００１２】
図１は、一実施形態による光ネットワーク１０を示すブロック図である。本実施形態によると、ネットワーク１０は光リングである。光リングは必要に応じて単一の一方向ファイバか、単一の双方向ファイバか、複数の一方向または双方向ファイバかを含む。図示した実施形態では、ネットワーク１０は、一組の一方向ファイバであって各一方向ファイバはトラフィックを反対方向に伝送するリング１８を含む。リング１８は複数のノード１２と１４を接続している。ネットワーク１０は、多数のチャネルが本質的に異なる波長／チャネルで共通の経路を搬送される光ネットワークである。ネットワーク１０はＷＤＭ、ＤＷＤＭ、またはその他のマルチチャネルネットワークである。ネットワーク１０は短距離の大都市ネットワーク、長距離の都市間ネットワーク、またはその他の適当なネットワークやその組み合わせとして利用できる。図示した実施形態においては、ノード１２はクライアントノード１４にトラフィックを配信し、またはクライアント１４からトラフィックを受信するハブノードである。トラフィックはクライアントノード１４でネットワークからドロップ（drop）され、またはネットワークにアッド（add）される。ネットワーク１０には４つのノードを示したが、他の実施形態ではネットワーク１０に含まれるノードは４つより少なくても多くてもよく、係るノードはクライアントノード、ハブノード、その他のタイプのノードを任意に組み合わせたものである。また、その他の実施形態では、ネットワークのノードアーキテクチャは、例えば図１に示したハブ＆スポークアークテクチャや階層的リング／メッシュアークテクチャなど、様々なノードアークテクチャでもよい。
【００１３】
従来のネットワークでは、各クライアントノードには１つ以上の波長帯が割り当てられており、そのノードでトラフィックがアッドまたはドロップされる。各波長帯は、一般的には同数の連続した波長（contiguous  wavelengths）を含む。例えば、ネットワーク１０で通信されるトラフィックは、６つの波長帯を含み、各波長帯は４つの波長を含む。例えば、第１の波長帯は波長λ１−λ４を含み、第２の波長帯は波長λ５−λ８を含み、第３の波長帯は波長λ９−λ１２を含み、第４の波長帯は波長λ１３−λ１６を含み、第５の波長帯は波長λ１７−λ２０を含み、第６の波長帯は波長λ２１−λ２４を含む。各ノードには１つ以上の異なる波長帯が割り当てられてもよい。例えば、ノード１４ａにはそのトラフィックのために（例えばλ１−λ４を使用する）第１の波長帯が割り当てられ、ノード１４ｂには第２と第３の波長帯が割り当てられ、ノード１４ｃには第４と第５の波長帯が割り当てられ、ノード１４ｄには第６の波長帯が割り当てられる。かかる割り当ては、トラフィック需要の推定に基づき行うことができる。（例えば、上記の割り当ての例では、ノード１４ｂと１４ｃはノード１４ａと１４ｄよりも大きな波長キャパシティを必要とすると推定されている。）
しかし、上記の従来のアプローチは効率的でない場合がある。例えば、ノード１４ａには４つの波長を含む波長帯が割り当てられているが、実際のトラフィック需要はそれほど大きくなく、２つの波長のみがあればよく、残りの２つの波長は使用されないかも知れない。例えば、ノード１４ｃは、８つより多い波長の割り当てを必要としていても、単純にノード１４ａに割り当てられた未使用の波長を使用することはできない。このように、トラフィックの分布のしかたによっては、この波長帯を固定するアプローチはネットワーク負荷が小さくてもブロッキング（blocking）を生じてしまう。また、ブロードキャストのドロップ＆コンティニュー（drop  and  continue）は容易にサポートできない（例えば、λ１は１つの波長帯に入っていて、他のノードはアクセスできない）。
【００１４】
ある実施形態では、（固定波長帯とは対照的に）仮想的波長帯を使うことにより波長を効率的に利用する。仮想的波長帯（ＶＢ）は各波長帯に任意数の波長を含み、さらに不連続の波長を含んでいてもよい（１つの波長帯がλ１−λ４を含むのではなく、例えばλ１、λ３、λ７及びλ８を含んでもよい）。かかる仮想波長帯により波長の割り当てが柔軟になり、ブロードキャストトラフィックのドロップ＆コンティニューをサポートすることができる。各仮想的波長帯が含む波長の数は違っていてもよいので、その時点でのトラフィック需要に基づき波長をノードに割り当てることができる。例えば、全部で２４の波長を利用できるとき、ノード１４ａには２つの波長を含む波長帯を割り当て、ノード１４ｂには９つの波長を含む波長帯を割り当て、ノード１４ｃには８つの波長を含む波長帯を割り当て、ノード１４ｄには７つの波長を含む波長帯を割り当てる。こうすることにより、ブロッキングと波長が利用されない可能性とを低減することができる。
【００１５】
図２は、３セットの波長とその波長帯へのグループ分けとを示す図である。セット５２は３２波長を含み、その一部ずつが波長帯域にグループ分けされている。各波長帯域（ＷＢ１−ＷＢ８）は４つの連続した波長を含む。セット５４は、一実施形態による仮想的波長帯の構成を示している。
【００１６】
セット５４には４つの仮想的波長帯（ＶＷＢ１−ＶＷＢ４）がある。ＶＷＢ１は４つの波長（λ１、λ６、λ７及びλ８）を含む。ＶＷＢ２は４つの波長（λ２−λ５）を含む。ＶＷＢ３は２つの波長（λ９とλ１４）を含む。ＶＷＢ４は８つの波長（λ１０、λ１１、λ１６、λ２１、λ２２、λ２５、λ２８及びλ３１）を含む。このように、セット５４は一様でなく連続的でもない波長構成を有する仮想的波長帯を含む。また、図から分かるように、３２の波長のうち１４は仮想的波長帯にまだグループ分けされていない。
【００１７】
セット５６は８つの仮想的波長帯（ＶＷＢ１−ＶＷＢ８）を示している。ＶＷＢ１は２つの波長λ１−λ２を含む。ＶＷＢ２は８つの波長λ３−λ１０を含む。ＶＷＢ３は２つの波長λ１１−λ１２を含む。ＶＷＢ４は４つの波長λ１３−λ１６を含む。ＶＷＢ５は８つの波長λ１７−λ２４を含む。ＶＷＢ１は３つの波長λ２５−λ２７を含む。ＶＷＢ７は１つの波長λ２８を含む。ＶＷＢ８は４つの波長λ２９−λ３２を含む。このように、セット５６は一様でなく連続的でもない波長構成を有する仮想的波長帯を含む。
【００１８】
ある構成を有する２つのセットの仮想的波長帯を示したが、ある実施形態では、ネットワークまたはその一部に、任意数の連続または不連続の波長を有する任意数の仮想的波長帯を設けてもよい。
【００１９】
図３乃至図５は、実施形態による光ネットワークに仮想的波長帯を実装する様々な方法を示す図である。図３は、一様でなく連続的な波長を有する３つの仮想的波長帯のグループ分けを示している。波長λ１−λ４０は調節可能帯域フィルタ（tunable  band  filter）１０２に入る。調節可能帯域フィルタ１０２は異なる時間には異なる帯域幅を選択する。帯域幅を選択するために中心周波数と帯域幅サイズとの両方を変更できる。次にトラフィックはサイクリックアレイ導波路回折格子（サイクリックＡＷＧ、cyclic  arrayed  waveguide  grating）デマルチプレクサ１０４、すなわち実施形態によっては「ｍ−スキップ−０」ＡＷＧ（m-skip-0  AWG）デマルチプレクサに進む。サイクリックＡＷＧデマルチプレクサは連続的な波長を仮想的波長帯にグループ分けできる。サイクリックＡＷＧデマルチプレクサ１０４は、その設定及び／または構成に応じて、一様でない仮想的波長帯（すなわち含まれる波長数が異なる仮想的波長帯）をグループ分けできるこの例から分かるように、調節可能帯域フィルタ１０２とサイクリックＡＷＧデマルチプレクサ１０４は、４つの連続した波長（λ１１−λ１４）を含むＶＷＢ１と、６つの連続した波長（λ７−λ１２）を含むＶＷＢ２と、４つの連続した波長（λ２３−λ２６）を含むＶＷＢ３とにグループ分けする。これらの３つの仮想的波長帯を利用してトラフィックを搬送してノードで使用するか、ノードに配信する。
【００２０】
図４は、一様でなく連続的でない波長を有する３つの仮想的波長帯のグループ分けを示している。波長λ１−λ４０は波長ブロッカー（wavelength  blocker）１５２に入る。波長ブロッカー１５２は入力される波長をブロックまたは通過させるように設定及び／または構成されている。サイクリックＡＷＧデマルチプレクサ１０４とともに波長ブロッカーを使用することにより、一様でなく連続的でもない波長をグループ分けすることができる。この例から分かるように、波長ブロッカー１５２とサイクリックＡＷＧデマルチプレクサ１５４は、４つの連続的でない波長（λ１１、λ１３、λ２２及びλ２７）を含むＶＷＢ１と、３つの連続的でない波長（λ７、λ１０及びλ１２）を含むＶＷＢ２と、４つの連続的でない波長（λ１、λ１１、λ２１、及びλ３２）を含むＶＷＢ３とにグループ分けする。これらの３つの仮想的波長帯を利用してトラフィックを搬送してノードで使用するか、ノードに配信する。
【００２１】
図５は、一様でなく連続的でない波長を有する３つの仮想的波長帯のグループ分けを示している。波長λ１−λ４０は波長選択スイッチ（ＷＳＳ、wavelength  selective  switch）１８０に入る。ＷＳＳ１８０は入力された任意の波長をブロックまたは各出力ポートに出力するように設定及び／または構成できる。波長対ポートのマッピングには制約はなく、実施形態によっては、ＷＳＳは波長のブロードキャストやマルチキャストをサポートできる。この実施例から分かるように、ＷＳＳ１８０は、４つの連続的でない波長（λ１、λ１３、λ２７、及びλ３２）を含むＶＷＢ１と、３つの連続的でない波長（λ２、λ７、及びλ４０）を含むＶＷＢ２と、４つの連続的でない波長（λ１、λ１１、λ３１、及びλ４０）を含むＶＷＢ３とにグループ分けする。これらの３つの仮想的波長帯を利用してトラフィックを搬送してノードで使用するか、ノードに配信する。
【００２２】
図３乃至図５は、実施形態による波長を仮想的波長帯にグループ分けする３つの例を示している。他の実施例では、同一のコンポーネント、類似のコンポーネント、または相異なるコンポーネントを使用して、ネットワークまたはその一部において仮想的波長帯の機能を実施してもよい。
【００２３】
仮想的波長帯についてここに開示した様々な例はノードにおいてどのように実施してもよい。ある実施例では、波長のステアリングとグルーミング（steering  and  grooming）は、配信ノードの外部のゲートウェイまたはハブノードで、フィルタリングまたはブロッキングを実装して行うことができる。かかる場合、配信ノードは、トラフィックをドロップするサイクリックＡＷＧと、トラフィックをアッドするカップラまたはサイクリックＡＷＧとの間にある波長ブロッカーであってもよい。サイクリックコンポーネントによりＣバンド全体をカバーする単一カードソリューションが実現できる。波長ブロッカーによりノードで波長を再利用できる。他の実施例では、フィルタリングやブロッキングは、例えば、ドロップ側のサイクリックＡＷＧの直前の配信ノードで行われる。他の実施例として、ノードにおいてドロップ側とアッド側の両方で、１×ＮのＷＳＳを使用してもよい。これにより、コストは高いが密度が低い無色の（colorless）非常に柔軟なソリューションを提供できる。
【００２４】
図６は、一実施形態による仮想的波長帯機能を実施する階層的リング／メッシュネットワークアーキテクチャを示す図である。ネットワークアーキテクチャ２００はコアリング２０２と配信リング２０４、２０６、２０８を含む。コアリング２０２はノード２１２、２１４、２１６、２１８、２２０、２２２、２２４、２２６、２２８及び２３０を含む。これらのノードは配信リングに仮想的波長帯をステア及び／またはグルーミング（steer  and/or  groom）するゲートウェイノードである。例えば、ノード２１２と２１６はトラフィックを配信リング２０８との間でステアリングするゲートウェイノードであり、ノード２１８と２２２はトラフィックを配信リング２０６との間でステアリングするゲートウェイノードであり、ノード２２６と２２０８はトラフィックを配信リング２０４との間でステアリングするゲートウェイノードである。
【００２５】
配信リング２０８は配信ノード２４０、２４２、及び２４４を含み、配信リング２０６は配信ノード２５０、２５２、２５４、２５６、及び２５８を含み、配信リング２０８は配信ノード２６０、２６２、及び２６４を含む。ネットワークアーキテクチャ２００で仮想的波長帯を実施することにより、各配信リングに対する帯域幅の分配の大きさを適正にできる。また、分配した帯域幅のサイズをネットワークの使用量と必要性により変更できるので、波長の割り当てを柔軟にできる。また、ネットワークアーキテクチャ２００はドロップ＆コンティニューすなわちブロードキャストトラフィックの実施をサポートできる。
【００２６】
上記の通り、仮想的波長帯により、任意数の連続的または非連続的波長を任意数の仮想的波長帯にグループ分けでき、配信リング２０４、２０６、及び２０８、そして配信ノード２４０、２４２、２４４、２５０、２５２、２５４、２５６、２５８、２６０、２６２、及び２６４に配信できる。ここに示したノードは、光リングとの間でトラフィックをアッド及び／またはドロップするカップラ、ＷＳＳ、ＡＷＧその他の光コンポーネントである任意のアッド及び／またはドロップコンポーネントを含み得る。
【００２７】
図７乃至図９は実施形態によるノードアーキテクチャを示す図である。図７は、ノードでトラフィックの分配をするサイクリックＡＷＧ３００を有するノードアーキテクチャと、ノードでトラフィックのアッド（addition）をするカップラ３０２とを含む。波長ブロッカー３０４を使用することにより、波長を再利用できる。この構成では、ノードへの波長のステアリング（steering）及びグルーミング（grooming）はそのノードの外部で行われる。例えば、フィルタリング及び／またはブロッキングの機能はゲートウェイまたはハブノードで行われる。このように、この構成は配信リング上のノードに適している。
【００２８】
図８は、ノードでトラフィックの分配をするフィルタまたはブロッカー３１０及びサイクリックＡＷＧ３１２を有するノードアーキテクチャと、ノードでトラフィックのアッド（addition）をするカップラ３１４とを含む。フィルタ／ブロッカーを使用することにより、ノードで仮想的波長帯のステアリングとグルーミングが可能となる。波長ブロッカー３１６を使用することにより、波長を再利用できる。
【００２９】
図７と図８に示したノードアーキテクチャは、ドロップ側にサイクリックＡＷＧを使用しアッド側にカップラー（またはサイクリックＡＷＧ）を使用し、低コストで高密度のアーキテクチャを提供する。また、図示した光増幅器はスパン損失に基づくもので任意的である。
【００３０】
図９は、ノードのドロップ側とアッド側にそれぞれ１×ＮのＷＳＳ３２０と３２２を有するノードアーキテクチャを含む。これにより、ノードで任意数の波長を仮想的波長帯にステアリング及びグルーミングできる簡単で、非常に柔軟であり、高コストかつ低密度のソリューションを提供できる。
【００３１】
図７乃至図９は、実施形態による仮想的波長帯機能を実施するノードアーキテクチャの３つの例を示している。他の実施例では、同一のコンポーネント、類似のコンポーネント、または相異なるコンポーネントを使用して、ネットワークまたはその一部において仮想的波長帯の機能を実施することもできる。
【００３２】
図１０は、一実施形態によるハブノードとアクセスノードとの間の接続例を示す図である。図１０の構成は、ハブノード４０２を含み、トラフィックはこのノードを通して２つのリング上を反対方向に流れている。特に、ハブノード４０２は、１×ＮのＷＳＳ４０４を含み、アクセスノード４１０やその他の配信リングに配信するために、波長を仮想的波長帯にステアリング及びグルーミングする。図示したように、ＷＳＳ４０４はトラフィックをローカル的にアッドするためのポートを含む。ハブノード４０２は、ローカルのドロップポートのためのデマルチプレクサも含む。
【００３３】
実施形態では、ハブノードの３次アーム（third  degree  arm）を最適化することができる。例えば、そのハブノードが（例えば、ローカルでアッドやドロップを行わない）パススルーノード（pass-through  node）として機能する場合、デマルチプレクサ４０６を省いたり、ＷＳＳをブロッカーに変更したりできる。
【００３４】
具体的な実施形態を参照して本発明を詳しく説明したが、言うまでもなく、本発明の精神と範囲から逸脱することなく、これらの実施形態に様々な変更、追加、置換をすることができる。例えば、仮想的波長帯を実施するための複数のリング、ノードアーキテクチャ、及び様々なコンポーネントを参照して具体的な実施形態を説明したが、特定のルーティングアーキテクチャやその必要性に対応するために、これらのアーキテクチャやコンポーネントを組み合わせたり、再構成したり、配置したりできる。実施形態によっては、これらの要素の構成やその内部コンポーネントは非常に柔軟である。
【００３５】
当業者はこの他の変更、追加、変形、置換、修正を考えることができるであろう。本発明は、添付した特許請求の範囲の精神と範囲に入るこうした変更、追加、変形、置換、修正はすべて本発明に含まれる。さらに、本発明は、特許請求の範囲に反映されていない限り、明細書に記載したどの文言にもどのようにも限定されない。
【００３６】
なお、上記実施形態に加え以下の付記を記す。
（付記１）  光トラフィックの通信方法であって、
複数のノードを有する光リングに光トラフィックをアッドする段階と、
前記光リング上で前記光トラフィックを伝送する段階であって、前記光トラフィックは第１の数の波長を含むトラフィックの第１の仮想的波長帯と、前記第１の数とは異なる第２の数の波長を含むトラフィックの第２の仮想的波長帯とを含む複数の仮想的波長帯を含む段階と、
前記複数のノードの第１のノードにおいて、前記トラフィックの第１の仮想的波長帯をドロップする段階と、
前記複数のノードの第２のノードにおいて、前記トラフィックの第２の仮想的波長帯をドロップする段階とを含む方法。
（付記２）  前記トラフィックの第１の仮想的波長帯の前記第１の数の波長は、複数の不連続の波長を含む、請求項１に記載の方法。
（付記３）  前記トラフィックの第２の仮想的波長帯の前記第２の数の波長は、複数の不連続の波長を含む、請求項２に記載の方法。
（付記４）  調節可能帯域フィルタとサイクリックアレイ導波路回折格子により前記光トラフィックを通信することにより前記複数の仮想的波長帯を形成する段階をさらに含む、請求項１に記載の方法。
（付記５）  波長ブロッカーとサイクリックアレイ導波路回折格子により前記光トラフィックを通信することにより前記複数の仮想的波長帯を形成する段階をさらに含む、請求項１に記載の方法。
（付記６）  波長選択スイッチにより前記光トラフィックを通信することにより、前記複数の仮想的波長帯を形成する段階をさらに含む、請求項１に記載の方法。
（付記７）  光トラフィックの通信システムであって、
複数のノードを有する光リングに光トラフィックをアッドする、光リングに結合したアッドコンポーネントと、
前記光リング上で前記光トラフィックを伝送する前記複数のノードであって、前記光トラフィックは第１の数の波長を含むトラフィックの第１の仮想的波長帯と、前記第１の数とは異なる第２の数の波長を含むトラフィックの第２の仮想的波長帯とを含む複数の仮想的波長帯を含む前記複数のノードと、
前記複数のノードの第１のノードにおいて、前記トラフィックの第１の仮想的波長帯をドロップする第１のドロップコンポーネントと、
前記複数のノードの第２のノードにおいて、前記トラフィックの第２の仮想的波長帯をドロップする第２のドロップコンポーネントとを有するシステム。
（付記８）  前記トラフィックの第１の仮想的波長帯の前記第１の数の波長は、複数の不連続の波長を含む、請求項７に記載のシステム。
（付記９）  前記トラフィックの第２の仮想的波長帯の前記第２の数の波長は、複数の不連続の波長を含む、請求項８に記載のシステム。
（付記１０）  前記複数の仮想的波長帯を形成する調節可能帯域フィルタとサイクリックアレイ導波路回折格子とをさらに有する、請求項７に記載のシステム。
（付記１１）  前記複数の仮想的波長帯を形成する波長ブロッカーとサイクリックアレイ導波路回折格子とをさらに有する、請求項７に記載のシステム。
（付記１２）  前記複数の仮想的波長帯を形成する波長選択スイッチをさらに有する、請求項７に記載のシステム。
（付記１３）  光トラフィックの通信システムであって、
複数のノードを有する光リングに光トラフィックをアッドする手段と、
前記光リング上で前記光トラフィックを伝送する手段であって、前記光トラフィックは第１の数の波長を含むトラフィックの第１の仮想的波長帯と、前記第１の数とは異なる第２の数の波長を含むトラフィックの第２の仮想的波長帯とを含む複数の仮想的波長帯を含む手段と、
前記複数のノードの第１のノードにおいて、前記トラフィックの第１の仮想的波長帯をドロップする手段と、
前記複数のノードの第２のノードにおいて、前記トラフィックの第２の仮想的波長帯をドロップする手段とを含むシステム。
（付記１４）  光トラフィックの通信方法であって、
結合された複数の光リング上で光トラフィックを通信する段階であって、前記複数の光リングはコアリングと、第１の配信リングと、第２の配信リングとを有し、各光リングは複数の光ノードを有する段階と、
前記コアリング上で通信されるトラフィックの第１の仮想的波長帯を、前記コアリングの第１の光ノードにおいて前記第１の配信リングに配信する段階であって、前記トラフィックの第１の仮想的波長帯は第１の数の波長を含む段階と、
前記コアリング上で通信されるトラフィックの第２の仮想的波長帯を、前記コアリングの第２の光ノードにおいて前記第２の配信リングに配信する段階であって、前記トラフィックの第２の仮想的波長帯は第２の数の波長を含む段階とを含む方法。
（付記１５）  前記トラフィックの第１の仮想的波長帯の前記第１の数の波長は、複数の不連続の波長を含む、請求項１４に記載の方法。
（付記１６）  前記トラフィックの第２の仮想的波長帯の前記第２の数の波長は、複数の不連続の波長を含む、請求項１５に記載の方法。
（付記１７）  光トラフィックの通信システムであって、
光トラフィックを通信する結合された複数の光リングであって、コアリングと、第１の配信リングと、第２の配信リングとを有し、各光リングは複数の光ノードを有する複数の光リングと、
前記コアリング上で通信されるトラフィックの第１の仮想的波長帯を、前記第１の配信リングに配信する前記コアリングの第１の光ノードであって、前記トラフィックの第１の仮想的波長帯は第１の数の波長を含む第１の光ノードと、
前記コアリング上で通信されるトラフィックの第２の仮想的波長帯を、前記第２の配信リングに配信する前記コアリングの第２の光ノードであって、前記トラフィックの第２の仮想的波長帯は第２の数の波長を含む前記第２の光ノードとを含むシステム。
（付記１８）  前記トラフィックの第１の仮想的波長帯の前記第１の数の波長は、複数の不連続の波長を含む、請求項１７に記載のシステム。
（付記１９）  前記トラフィックの第２の仮想的波長帯の前記第２の数の波長は、複数の不連続の波長を含む、請求項１８に記載のシステム。
【図面の簡単な説明】
【００３７】
【図１】一実施形態による光ネットワークを示すブロック図である。
【図２】一実施形態による３セットの波長とその波長帯へのグループ分けを示す図である。
【図３】一実施形態による非一様かつ連続な波長を有する仮想的波長帯のグループ分けを示す図である。
【図４】一実施形態による非一様かつ連続な波長を有する仮想的波長帯のグループ分けを示す図である。
【図５】一実施形態による非一様かつ連続な波長を有する仮想的波長帯のグループ分けを示す図である。
【図６】一実施形態による仮想波長帯機能を実施する階層的リング／メッシュネットワークアーキテクチャを示す図である。
【図７】一実施形態によるノードアーキテクチャを示す図である。
【図８】一実施形態によるノードアーキテクチャを示す図である。
【図９】一実施形態によるノードアーキテクチャを示す図である。
【図１０】一実施形態によるハブノードとアクセスノードとの間の接続例を示す図である。
【符号の説明】
【００３８】
１０  ネットワーク
１２、１４  ノード
１８  リング
１０２  調節可能帯域フィルタ
１０４、１５４  サイクリックＡＷＧデマルチプレクサ
１５２  波長ブロッカー
１８０  波長選択スイッチ
２００  ネットワークアーキテクチャ
２０２  コアリング
２１２−２２８  ノード
２０４−２０８  配信リング
２４０−２４４  ノード
２５０−２５８  ノード
２６０−２６４  ノード
３００  サイクリックＡＷＧ
３０２  カップラ
３０４  波長ブロッカー
３１０  フィルタまたはブロッカー
３１２  サイクリックＡＷＧ
３１４  カップラ
３１６  波長ブロッカー
３２２  波長選択スイッチ
４０２  ハブノード
４０４  波長選択スイッチ
４０６  デマルチプレクサ
４１０  アクセスノード
【図１】
0005347369.tif 000002
【図２】
0005347369.tif 000003
【図３】
0005347369.tif 000004
【図４】
0005347369.tif 000005
【図５】
0005347369.tif 000006
【図６】
0005347369.tif 000007
【図７】
0005347369.tif 000008
【図８】
0005347369.tif 000009
【図９】
0005347369.tif 000010
【図１０】
0005347369.tif 000011